(57)【要約】【目的】  文具商品としての消しゴムやその収容用スリーブ、または鉛筆の表面にシールやステッカー技術によって実現されている立体的な装飾模様を適宜に施す新製品を提供する【構成】  文字や図柄やキャラクター模様を立体的・半立体的に表現する既存のシールやステッカー技術を押出し成型消しゴム１の本体表面上に固着させて施すことで立体的装飾性２を向上させたことを特徴とする立体的装飾付き押出し成型消しゴム。【選択図】図１
2007290332.tif 000002
【特許請求の範囲】
【請求項１】
文字や図柄やキャラクター模様を立体的・半立体的に表現する既存のシールやステッカー技術を押出し成型消しゴムの本体表面上に固着させて施すことで立体的装飾性を向上させたことを特徴とする立体的装飾付き押出し成型消しゴム。
【請求項２】
文字や図柄やキャラクター模様を立体的・半立体的に表現する既存のシールやステッカー技術を平面部を有する多角形の外周形状を持った押出し成型消しゴム用スリーブ表面に固着させて施すことで立体的装飾性を向上させたことを特徴とする立体的装飾付き押出し成型消しゴム用スリーブ。
【請求項３】
文字や図柄やキャラクター模様を立体的・半立体的に表現する既存のシールやステッカー技術を鉛筆の頂端部に固着させて施すことで立体的装飾性を向上させたことを特徴とする立体的装飾付き鉛筆。
【請求項４】
既存のシール商品で実現されているものと同様に立体的装飾模様の一部に透明中空部が設けられており、必要に応じて該中空部に模様や色彩が施され、      更に場合によって別の装飾部材が封入されていることで外部から観察できるようになっていることを特徴とする請求項１に記載の立体的装飾付き押出し成型消しゴム。
【請求項５】
既存のシール商品で実現されているものと同様に立体的装飾模様の一部に透明中空部が設けられており、必要に応じて該中空部に模様や色彩が施され、更に場合によって別の装飾部材が封入されていることで外部から観察できるようになっていることを特徴とする請求項２に記載の立体的装飾付き押出し成型消しゴム用スリーブ。
【請求項６】
既存のシール商品で実現されているものと同様に立体的装飾模様の一部に透明中空部が設けられており、必要に応じて該中空部に模様や色彩が施され、更に場合によって別の装飾部材が封入されていることで外部から観察できるようになっていることを特徴とする請求項３に記載の立体的装飾付き鉛筆。
【請求項７】
立体的装飾模様を部材表面に固着させるために低発泡性インクによる立体的印刷手法を用いることを特徴とする請求項１に記載の立体的装飾付き押出し成型消しゴム。
【請求項８】
立体的装飾模様を部材表面に固着させるために低発泡性インクによる立体的印刷手法を用いることを特徴とする請求項２に記載の立体的装飾付き押出し成型消しゴム用スリーブ。
【請求項９】
立体的装飾模様を部材表面に固着させるために低発泡性インクによる立体的印刷手法を用いることを特徴とする請求項３に記載の立体的装飾付き鉛筆。
【請求項１０】
立体的装飾模様を表面に固着させた押出し成型消しゴムを、該押出し成型消しゴムを嵌め込み組合わせる構造を持った別の消しゴムに嵌め込み一体化し、立体的装飾模様を別の消しゴム表面から突出させ又は突出させないようにしていることを特徴とする請求項１に記載の立体的装飾付き押出し成型消しゴム。
【発明の詳細な説明】
【技術分野】
【０００１】  本発明は、文具商品としての消しゴムやその収容用スリーブ、または鉛筆の表面にシールやステッカー技術によって実現されている立体的な装飾模様を適宜に施す新製品を提供するものである。
【背景技術】
【０００２】  消しゴムやその収容用スリーブ、鉛筆などの物品表面を文字や図柄、キャラクター模様などによって平面的に装飾することは従来から一般に行われているところである。
また、裏面を接着面として剥離紙上に貼った状態で商品化されるシールやステッカーにおいて、表面側を浮き彫り的な半立体的加工としたりソフトな触感に仕上げたりすることは、印刷技術や表面加工技術によって実現されている。
【特許文献１】
【発明の開示】
【発明が解決しようとする課題】
【０００３】  押出し成型消しゴムやその収容用スリーブ、鉛筆の軸表面や頂端部などに従来にない装飾加工を施すことで付加価値を高めることが望まれる。【０００４】  シールやステッカーで実用化されている立体的な表現処理は消しゴムや鉛筆といった文具そのものにおいては殆んど実用化されていないが、装飾的表現力を向上する上で期待されるものである。【０００５】  しかし、市販のシールやステッカーを消しゴムや鉛筆の表面に貼り付けるのでは、きれいに上手く貼れなかったり、使い勝手が悪くなるようなことが起こってしまう。
【課題を解決するための手段】
【０００６】  本発明は、上記したような課題を解消しながら従来にない新しい装飾性アップを図った消しゴムや消しゴム用スリーブ、鉛筆などを商品化しようとするものであり、具体的には以下のようなものである。【０００７】  （１）文字や図柄やキャラクター模様を立体的・半立体的に表現する既存のシールやステッカー技術を押出し成型消しゴムの本体表面上に固着させて施すことで立体的装飾性を向上させたことを特徴とする立体的装飾付き押出し成型消しゴム。【０００８】  （２）文字や図柄やキャラクター模様を立体的・半立体的に表現する既存のシールやステッカー技術を平面部を有する多角形の外周形状を持った押出し成型消しゴム用スリーブ表面に固着させて施すことで立体的装飾性を向上させたことを特徴とする立体的装飾付き押出し成型消しゴム用スリーブ。【０００９】  （３）文字や図柄やキャラクター模様を立体的・半立体的に表現する既存のシールやステッカー技術を鉛筆の軸部材表面や頂端部に固着させて施すことで立体的装飾性を向上させたことを特徴とする立体的装飾付き鉛筆。【００１０】  （４）既存のシール商品で実現されているものと同様に立体的装飾模様の一部に透明中空部が設けられており、必要に応じて該中空部に模様や色彩が施され、更に場合によって別の装飾部材が封入されていることで外部から観察できるようになっていることを特徴とする前記（１）項に記載の立体的装飾付き押出し成型消しゴム。【００１１】  （５）既存のシール商品で実現されているものと同様に立体的装飾模様の一部に透明中空部が設けられており、必要に応じて該中空部に模様や色彩が施され、場合によって別の装飾部材が封入されていることで外部から観察できるようになっていることを特徴とする前記（２）項に記載の立体的装飾付き押出し成型消しゴム用スリーブ。【００１２】  （６）既存のシール商品で実現されているものと同様に立体的装飾模様の一部に透明中空部が設けられており、必要に応じて該中空部に模様や色彩が施され、更に場合によって別の装飾部材が封入されていることで外部から観察できるようになっていることを特徴とする前記（３）項に記載の立体的装飾付き鉛筆。【００１３】  （７）立体的装飾模様を部材表面に固着させるために低発泡性インクによる立体的印刷手法を用いることを特徴とする前記（１）項に記載の立体的装飾付き押出し成型消しゴム。【００１４】  （８）立体的装飾模様を部材表面に固着させるために低発泡性インクによる立体的印刷手法を用いることを特徴とする前記（２）項に記載の立体的装飾付き押出し成型消しゴム用スリーブ。【００１５】  （９）立体的装飾模様を部材表面に固着させるために低発泡性インクによる立体的印刷手法を用いることを特徴とする前記（３）項に記載の立体的装飾付き鉛筆。【００１６】  （１０）立体的装飾模様を表面に固着させた押出し成型消しゴムを、該押出し成形消しゴムを嵌め込み組合わせる構造を持った別の消しゴムに嵌め込み一体化し、立体的装飾模様を別の消しゴム表面から突出させ又は突出させないようにしていることを特徴とする前記（１）項に記載の立体的装飾付き押出し成型消しゴム。
【発明の効果】
【００１７】  文字や図柄やキャラクター模様を立体的・半立体的に表現する既存のシールやステッカー技術を押出し成型消しゴムの本体表面上に固着させて施すことで立体的装飾性を向上させたことにより、押出し成型消しゴム本体の使い勝手を損なうことなしに装飾性を適切に向上することが可能となる。【００１８】  文字や図柄やキャラクター模様を立体的・半立体的に表現する既存のシールやステッカー技術を平面部を有する多角形の外周形状を持った押出し成型消しゴム用スリーブ表面に固着させて施すことで立体的装飾性を向上させたことにより、押出し成型消しゴムを収容するスリーブ部材表面にも使い勝手と装飾性を同時に満足するものとして立体的装飾を施すことができるようになる。【００１９】  文字や図柄やキャラクター模様を立体的・半立体的に表現する既存のシールやステッカー技術を鉛筆の軸部材表面や頂端部に固着させて施すことで立体的装飾性を向上させたことにより、鉛筆の使い勝手を損なうことなく適切な装飾性向上を実現することが可能となる。【００２０】  既存のシール商品で実現されているものと同様に立体的装飾模様の一部に透明中空部が設けられており、必要に応じて該中空部に模様や色彩が施され、更に場合によって別の装飾部材が封入されていることで外部から観察できるようになっていることで、中空部材内の別の装飾部材による動きある装飾性なども楽しむことができる押出し成型消しゴムや押出し成型消しゴム用スリーブ、鉛筆などを実現することが可能となる。【００２１】  立体的装飾模様を部材表面に固着させるために低発泡性インクによる立体的印刷手法を用いることにより、ソフトな触感を持った立体的装飾模様を押出し成型消しゴムやその収容用スリーブ、鉛筆の軸や頂端部の各表面に好適に施すことができるようになる。【００２２】  立体的装飾模様を表面に固着させた押出し成型消しゴムを、該押出し成型消しゴムを嵌め込み組合わせる構造を持った別の消しゴムに嵌め込み一体化し、立体的装飾模様を別の消しゴム表面から突出させ又は突出させないようにしていることにより、本発明による立体的装飾模様をより自由に消しゴム本体に適用することが可能となる。
【発明を実施するための最良の形態】
【００２３】  上記してきたような本発明の具体的な実施の態様の若干例を添付する図面を利用しながら以下において説明する。
図１は、本発明による押出し成型消しゴム１の１例を示した斜視図である。すなわち、１面に立体的装飾模様２を固着して一体化したものであるが、この立体的装飾模様２の形成方法は既存のシールやステッカーにおいて実現されている立体的表現手法をそのまま応用したものである。【００２４】  本発明において、消しゴム１表面に形成される立体的装飾模様２はシールやステッカーのように比較的容易に剥がすことができる接着部によって取付けられるものではなく、強固に固着して一体化するものである。【００２５】  本発明の立体的装飾模様２は、図２に示すように各種文字等の浮き彫り模様的に表現することも可能である。このとき、低発泡性インクによる立体模様の印刷手法を用いると、ソフトな触感を持ったものとして仕上げることができ、消しゴム１の柔軟性にも追随したものとなる。この低発泡性インクによる立体的印刷手法もシールやステッカー技術ツとして既に実現されているものを本発明に応用するものである。【００２６】  図３は、消しゴム１を収容するために用いるスリーブ３の表面に立体的装飾模様２を固着一体化する場合の１例を示したものである。このようにスリーブ３に立体的模様２を施すことで、消しゴム１を収容した状態での消しゴム商品に対して本発明を実施するものとなし得ることになる。【００２７】  図４は、この消しゴム収容用スリーブ３の展開状態を示したものである。スリーブ３は平面的に展開可能なものであるから、その表面に本発明の立体的装飾模様２を表面加工することは容易である。【００２８】  上記してきた立体的装飾模様２の少なくとも一部に透明な中空部を形成し、必要に応じて模様や色彩を施し、更に場合によってその中に別体の装飾部材を封入することで、外部から観察可能な動きのある装飾効果などを実現することも可能である。【００２９】  図５は、筆記用具である鉛筆４の軸表面５に本発明による立体的装飾模様２を形成する場合の若干例を示している。鉛筆４による筆記操作を邪魔しないようにするには、軸の上方に立体的装飾模様２を固着一体化することが望ましい。また、ここでの固着手法も上記した低発泡性インクによる立体的印刷手法を用いることで、模様や文字、キャラクター図柄をカラー状態で浮き彫り状に表現させることが可能である。【００３０】  図６は、鉛筆４の頂端部６に頭付け状態として本発明の立体的装飾模様２を設ける場合を示している。頂端部６は平面状であるので固着一体化加工も行い易く、透明中空部を形成することも可能である。【００３１】  図７は、同じく鉛筆４の頂端部６に低発泡性インクによる立体的印刷を施して立体的装飾模様２を形成する場合を示している。この場合には上記しているように柔軟な触感を持った立体的装飾模様２が頂端部６に形成されることになる。【００３２】  図８は、立体的装飾模様２を固着させた押出し成形消しゴム１をその外観形状に適合した嵌め込み部７を形成した別の消しゴム１ａに嵌め込み組合わせして新たは消しゴム商品８とする場合の１例を示したものである。
立体的装飾模様２は、図示の押出し成形消しゴム１に対しては突出状態で固着されている関係にあるが、嵌め込み部７に嵌め込み組合わせると該嵌め込み面は平坦状になるようにされている。【００３３】  このように嵌め込み面が平坦状となることで、別種の美感が生じて更なる装飾性向上が図れると共に、消しゴム用スリーブに収容させることも容易にできるようになるものである。【００３４】  図９は、それぞれに立体的装飾模様２を施した２個の押出し成型消しゴム１、１を嵌め込み部７を２個設けた別の消しゴム１ａに嵌め込み組合わせる場合の状態を示したものである。
ここでの立体的装飾模様２も図柄のみではなく、文字やキャラクター形状を採用することができ、透明中空部を形成し、また、低発泡性インクによる印刷手法で固着して柔らかな触感を実現することも可能である。
【産業上の利用可能性】
【００３５】  以上説明してきたような本発明によるときは、押出し成型消しゴムそのものやその収容用スリーブ、更には鉛筆の軸表面や頂端部などに対してもシールやステッカーで実現されている立体的装飾模様を自由に施して従来にない趣味性や美感を向上させることが可能である。【００３６】  したがって、消しゴム商品や鉛筆に関して市場に新たな需要を喚起することが期待されるものであり、産業上の利用可能性において優れた発明であると理解される。
【図面の簡単な説明】
【００３７】
【図１】  本発明の立体的装飾模様を備えた押出し成型消しゴムの１例を示す斜視図である。
【図２】  低発泡性インクにより立体的装飾模様として文字を表現した場合の本発明消しゴムの１例に関する斜視図である。
【図３】  本発明の立体的装飾模様を施した消しゴム用スリーブの１例についての説明図である。
【図４】  本発明の消しゴム用スリーブの平面的な展開状態を示した斜視図である。
【図５】  筆記軸表面に立体的装飾模様を施した本発明鉛筆の１例を示す説明図である。
【図６】  鉛筆軸頂端部に立体的装飾模様を固着させた本発明鉛筆の１例を示す説明図である。
【図７】  鉛筆軸頂端部に低発泡インクによる立体的装飾模様を施した場合の１例を示す説明図である。
【図８】  本発明の押出し成型消しゴムを別の消しゴムの嵌め込み部に嵌め込み組合わせる状態を示す説明図である。
【図９】  本発明による２個の押出し成型消しゴムを別の消しゴムの嵌め込み部に嵌め込み組合わせる状態を示した説明図である。
【符号の説明】
【００３８】  １  立体装飾模様を施した押出し成型消しゴム
１ａ  嵌め込み部を形成した別の消しゴム
２  立体的装飾模様
３  消しゴム用スリーブ
４  鉛筆
５  鉛筆軸表面
６  鉛筆軸頂端部
７  嵌め込み部
８  消しゴム商品
【図１】
2007290332.tif 000003
【図２】
2007290332.tif 000004
【図３】
2007290332.tif 000005
【図４】
2007290332.tif 000006
【図５】
2007290332.tif 000007
【図６】
2007290332.tif 000008
【図７】
2007290332.tif 000009
【図８】
2007290332.tif 000010
【図９】
2007290332.tif 000011